(57)【要約】【課題】  サングラスの着脱操作時にも鍔部が妨げとならず、且つ着脱操作を繰り返しても破損し難く、さらに着用時の外観品質が高い帽子を提供する。【解決手段】  頭部に装着するクラウン部と、上記クラウン部の外周縁部に接続された鍔部とを備える帽子であって、上記鍔部の両側部には頭部後方に向かって鈍角に切り欠かれた切欠部が形成された構成とする。【選択図】  図１
0003157657.tif 000002
【実用新案登録請求の範囲】
【請求項１】
頭部に装着するクラウン部と、上記クラウン部の外周縁部に接続された鍔部とを備える帽子であって、
上記鍔部の両側部には頭部後方に向かって鈍角に切り欠かれた切欠部が形成されたことを特徴とする帽子。
【請求項２】
上記クラウン部は頭部周縁部に巻装されるベルト部により形成され、上記鍔部は上記クラウン部の径方向一端部において周方向に沿って接続されていることを特徴とする請求項１に記載の帽子。
【請求項３】
上記ベルト部は、互いに端部において面ファスナーにより係脱可能に接合しうるベルト部材により形成されていることを特徴とする請求項２に記載の帽子。
【請求項４】
上記鍔部は、上記クラウン部の径方向に対して所定角度下方向に傾斜して形成されると共に、上方に向かって膨出するように湾曲して形成されていることを特徴とする請求項１〜３いずれか１項に記載の帽子。
【考案の詳細な説明】
【技術分野】
【０００１】
本考案は、頭部に装着する帽子であって、特に頭部に装着するクラウン部と、上記クラウン部に接続する鍔部を有する帽子に関する。
【背景技術】
【０００２】
頭部に装着するクラウン部と、上記クラウン部に接続する鍔部を有する帽子には、キャップ、ハンチング帽、サンバイザー等、多種の形態の製品が流通し、様々なスポーツにおいて、頭部の保護、日よけ等の目的、及びスポーツファッションのアイテムとして広く着用されている。
【０００３】
各種スポーツの中でも長時間に亘って、野外でプレーするゴルフにおいては、ショット時の日差しの眩しさを避ける等の目的で、多くのプレーヤーが鍔部付きの帽子を着用している。
さらに、眩しさ防止のためにサングラスを装着する場合は、前方の他、横方向からの日差しを避けるために、左右のテンプル部の幅が広く形成された、所謂キャッツアイタイプのサングラスが使用されることが多い。
しかしながら、鍔部付きの帽子を着用している場合には、上記サングラスのテンプル部の幅寸法が大きくなると、頭の左右両側において上記テンプル部が鍔部に接触して圧迫されるため、サングラスの装着感が悪く、また、鍔部との接触によりサングラス等がずれてしまう虞があるという不具合を有していた。
【０００４】
上記の不具合を解決するため、図３（ａ）、（ｂ）に示すように、鍔部４２の周縁を、クラウン部４１と接続する内周縁部４３と、鍔部４２の先端部を形成する外周縁部４４と、上記内周縁部４３と外周縁部４４とを結ぶ接続縁部４５とから形成すると共に、上記鍔部４２の外周縁部の両端部４４ａ，４４ｂを、内周縁部４３ａ，４３ｂよりも上記クラウン部４１の外側後方に配置した帽子４０が提案されている（特許文献１）。
【０００５】
図３（ａ）、（ｂ）に示すように上記特許文献１に係る帽子４０にあっては、鍔部４２の左右両側に後方に突出する片部４６，４７が形成され、クラウン部４１を頭部に装着した場合に、上記片部４６，４７が頭部から離間することによって、頭部のこめかみ部分に、頭部後方に向かって鋭角に形成された空隙４８、４８が形成される。
従って、サングラスを装着した場合にも、鍔部４２がサングラスのテンプル部に触れ難く、この結果、頭部のこめかみ部分への圧迫を防止しうると共に、サングラス（図３には図示せず）を装着した場合にも、サングラスのテンプル部が上記空隙４８、４８内に配置されるため、上記サングラスのテンプル部と鍔部４２とが接触せず、ずれ難いという利点を有している。
【０００６】
しかしながら、上記特許文献１に係る帽子４０は、鍔部４２の左右両端に東部後方に突出する片部４６，４７が形成され、サングラスを装着している場合は、上記片部４６、４７で形成された空隙４８内部に上記サングラスのテンプル部が配置されている。
従って、サングラスを外す場合には、上記片部４６、４７が着脱操作の妨げとなる虞があるという不具合を有していた。
また、着用時に上記片部４６，４７が頭部から左右方向に離間した状態となるため、装着時の外観品質が低いという別途の不具合を有していた。
【特許文献１】実用新案登録第３１１２０３２号公報
【考案の開示】
【考案が解決しようとする課題】
【０００７】
本考案の解決する課題は、サングラスの着脱操作時にも鍔部が妨げとならず、さらに着用時の外観品質が高い帽子を提供することにある。
【課題を解決するための手段】
【０００８】
上記課題を解決するために、請求項１の記載の考案に係る帽子は、頭部に装着するクラウン部と、上記クラウン部の外周縁部に接続された鍔部とを備える帽子であって、上記鍔部の両側部には頭部後方に向かって鈍角に切り欠かれた切欠部が形成されたことを特徴とする。
従って、請求項１の考案にあっては、上記帽子を着用しサングラスを装着した場合に、上記鍔部が鈍角の切欠き部を有することため、サングラスのテンプル部と上記鍔部の外周縁部とが接触することがない。
また、図３に示す上記特許文献１に係る帽子４０と異なり、片部４６，４７を有さないため、着用した場合であっても、鍔部が頭部のこめかみ部分から離間した状態とならない。
【０００９】
また、請求項２の考案に係る帽子は、上記クラウン部は頭部周縁部に巻装されるベルト部により形成され、上記鍔部は上記クラウン部の径方向一端部において周方向に沿って接続されていることを特徴とする。
【００１０】
また、請求項３の考案に係る帽子は、上記ベルト部は、互いに端部において面ファスナーにより係脱可能に接合しうるベルト部材により形成されていることを特徴とする。
従って、請求項３の考案にあっては、面ファスナーの接着位置を調整することによって、頭部周縁部の周寸法に合わせ、クラウン部の径寸法を変更することができる。
【００１１】
また、請求項４の考案に係る帽子は、上記鍔部は、上記クラウン部の径方向に対して所定角度下方向に傾斜して形成されると共に、上方に向かって膨出するように湾曲して形成されていることを特徴とする。
従って、上記鍔部によって前方及び側方からの光の差込を防ぐことができる。
【考案の効果】
【００１２】
請求項１及び２の考案にあっては、上記鍔部の両側部には頭部後方に向かって鈍角に切り欠かれた切欠部が形成されたことから、従来のように頭部後方に突出する片部が形成されず、サングラスの着脱操作時にも鍔部が妨げとならない。
また、着用時に鍔部が頭部のこめかみ部分から離間した状態とならないため、着用時においても鍔部が左右に膨らまず、着用時の外観品質が高い帽子を提供することができる。
【００１３】
さらに請求項３の考案にあっては、上記ベルト部は、互いに端部において面ファスナーにより係脱可能に接合しうるベルト部材により形成されていることから、頭部の大きさに合わせてクラウン部の径寸法調整が容易であり、より装着感に優れた帽子を提供することができる。
また、請求項４の考案にあっては、上記鍔部は、上記クラウン部の径方向に対して所定角度下方向に傾斜して形成されると共に、上方に向かって膨出するように湾曲して形成されていることから、前方及び側方の光の差込を防ぐことができるため、眩しくなく、より集中力を高めることが可能となる。
【図面の簡単な説明】
【００１４】
【図１】本考案の一実施の形態を示し、実施例の形態における帽子の全体斜視図である。
【図２】本考案の一実施の形態を示し、実施例の形態における帽子の底面図である。
【図３】従来の帽子の形態を示す（ａ）は斜視図、（ｂ）は底面図である。
【考案を実施するための最良の形態】
【００１５】
以下図面を用いて本実施例の形態について、帽子がゴルフ競技等に用いられるサンバイザーである場合を例として説明する。
図１に示すように、本実施例に係るサンバイザー１０は、頭部に装着するクラウン部１１と、上記クラウン部１１の外周縁部１２に接続された鍔部１３とを備え、図２に示すように、上記鍔部１３の両側部１３ａ、１３ｂには頭部後方に向かって約１００度の鈍角γに切り欠かれた切欠部１４ａ，１４ｂが形成されている。
また、上記クラウン部１１は頭部周縁部に巻装されるベルト部１５により形成され、上記鍔部１３は上記クラウン部１１の径方向一端部において周方向に沿って接続されている。
また、上記ベルト部１５は、互いに端部１６ａ，１６ｂにおいて面ファスナー１７，１７により係脱可能に接合しうるベルト部材１６により形成されている。
また、上記鍔部１３は、上記クラウン部１１の径方向に対して約３０度下方向に傾斜して形成されると共に、上方に向かって膨出するように湾曲して形成されている。
【実施例１】
【００１６】
本実施例の構成について以下添付図面を引用して詳述する。
図１は本実施例に係るサンバイザー１０の全体斜視図を示している。
図１に示すように、本実施例に係るサンバイザー１０のクラウン部１１のベルト部１５は、頭部周縁に巻装した場合に頭部前方に当接する部位の幅寸法が約５ｃｍに形成されると共に、頭部後部に向かって次第に幅寸法が小さくなり、頭部後部に当接する部位の幅寸法は約２ｃｍに形成されている。
また、図２は、本実施例に係るサンバイザー１０の底面図を示している。
図２に示すように、上記鍔部１３の内周縁部１８は、上記クラウン部１１の径方向一端部において、前方を中心として左右に夫々約５０度に亘って、上記クラウン部１１の周方向に沿って接続されている。
また、上記鍔部１３の外周縁部１９は、上記内周縁部１８と約５ｃｍの離間寸法を以って略並行に形成されると共に、外周縁部１９の両端部１９ａ、１９ｂは内周縁部１８の両端部１８ａ，１８ｂに向かって屈曲し、切欠部１４ａ，１４ｂを形成している。
また、図１に示すように、上記ベルト部材１６の両端部１６ａ，１６ｂに配設された面ファスナー１７，１７は細長長方形に形成されている。
また、上記ベルト部材１６の幅方向一端部には、汗取り用及び滑り留め用の布材２０が長さ方向に沿って接合され、上記ベルト部材１６を頭部に巻装した場合には、上記クラウン部１１の内周部２１に折り返されて配置されている。
【００１７】
上記実施例の作用について、図面を用いて説明する。
図１に示すように、サンバイザー１０を着用した場合に、上記鍔部１３の外周縁部１９の両端部１９ａ、１９ｂは内周縁部１８の両端部１８ａ，１８ｂに向かって屈曲して、図２に示すように、クラウン部１１に対して、内角γが約１００度に形成された、上記切欠部１４ａ，１４ｂを有するため、上記鍔部１３の外周縁部１９に、耳部又は頭部のこめかみ部分に当たることがない。
従って、テンプル部の幅が広いサングラスを装着した場合であっても、頭部こめかみ部分及び耳部において、サンバイザー１０の鍔部１３が邪魔にならず、装着したサングラスがずれ難く、且つ装着感も良好である。
また、図１に示すように上記鍔部１３は、上記クラウン部１１の径方向に対して約３０度下方向に傾斜して形成されると共に、上方に向かって膨出するように湾曲して形成されているため、外観がコンパクトであるにも関わらず、日よけ効果が高く、また装着時における外観品質も非常に高い。
【００１８】
なお、本実施例においては、サンバイザーを例として説明したが、クラウン部、及び鍔部を有する形態の帽子であれば、キャップ帽、ハンチング帽等、帽子の種類を特に問わず、本実施例と同様の効果を得ることが可能である。
また、鍔部の幅寸法及び鍔部の広がり角度等についても、本実施例の形態に限定されるわけではなく、本考案の範囲内において適宜変更することが可能である。
さらにクラウン部、鍔部の素材についても特に限定する必要は無く、布、合成樹脂、皮等、適宜の材料を用いることが可能である。
【産業上の利用可能性】
【００１９】
本考案は、頭部に装着する帽子であって、特に頭部に装着するクラウン部と、
上記クラウン部に接続する鍔部を有する帽子に広く適用が可能である。
【符号の説明】
【００２０】
１０  サンバイザー
１１  クラウン部
１２  クラウン部の外周縁部
１３  鍔部
１３ａ鍔部の側部
１３ｂ鍔部の側部
１４ａ切欠部
１４ｂ切欠部
１５  クラウン部のベルト部
１６  ベルト部材
１６ａベルト部材端部
１６ｂベルト部材端部
１７  面ファスナー
１８  鍔部の内周縁部
１８ａ鍔部の内周縁部の端部
１８ｂ鍔部の内周縁部の端部
１９  鍔部の外周縁部
１９ａ鍔部の外周縁部の端部
１９ｂ鍔部の外周縁部の端部
２０  布材
２１  クラウン部の内周部
４０  帽子
４１  クラウン部
４２  鍔部
４３  鍔部の内周縁部
４３ａ鍔部の内周縁部の端部
４３ｂ鍔部の内周縁部の端部
４４  鍔部の外周縁部
４４ａ鍔部の外周縁部の端部
４４ｂ鍔部の外周縁部の端部
４５  接続片部
４６  片部
４７  片部
４８  空隙
γ    切欠き部の角度
【図１】
0003157657.tif 000003
【図２】
0003157657.tif 000004
【図３】
0003157657.tif 000005